(57)【要約】【目的】  ＩＣカードへの情報の書き込み、或いは読み取りに使用されるカードコネクタの厚み、横幅を低減する。ＩＣカードを挿入位置へ固定するロック機構の厚み方向での変位、変形を防止する。【構成】  ＩＣカードが挿入されるホルダー３０をケース１０内に厚み方向へ移動可能に支持する。ホルダー３０へのカードの挿入に伴い挿入方向へ移動するスライダー４０をホルダー３０と共にケース２０内に設ける。スライダー４０はスプリング４６によりカード抜去方向へ付勢されると共にホルダー３０を両側のカム機構３３，４４を介して支持する。カム機構３３，４４はスライダー４０のカード挿入方向への移動の最終段階でその移動に伴いホルダー３０をカードの接点部がコンタクト６０Ａ，６０Ｂへ接近する厚み方向へ移動させる。スライダー４０の表面に沿って回動可能に設けられた回動式のロック爪７０によりスライダー４０を挿入方向の移動限に固定する。イジェクト部材８０によりロック爪７０をスプリング７４による付勢力に抗して固定位置から解放位置へ操作する。【選択図】  図２
2006012452.tif 000002
【特許請求の範囲】
【請求項１】
薄型のケース内に厚み方向へ移動可能に支持され、ＩＣカードが挿入されてこれを保持するホルダーと、ホルダーと共に前記ケース内に設けられ、ホルダーへのカードの挿入に伴って挿入方向へ移動すると共に、挿入方向への移動の最終段階でその移動に伴ってカードの接点部がコンタクトへ接近する厚み方向へホルダーが移動するように両側のカム機構を介してホルダーを支持するスライダーと、スライダーをカードが抜去される方向へ付勢する第１スプリングと、スライダーに対向するケースの平面部とスライダーとの間に前記平面部に沿って回動可能に設けられ、カードが完全に挿入された状態でスライダーを係止する回動式のロック爪と、ロック爪を固定方向に付勢する第２スプリングと、第２スプリングによる付勢力に抗してロック爪を固定位置から解放位置へ操作するイジェクト部材とを具備することを特徴とするロック機構付きカードコネクタ。
【請求項２】
前記カム機構は、前記スライダーの両側部に傾斜カム溝を形成し、両側の傾斜カム溝にスライド自在に挿入される突起をホルダーの両側部に設けた構成である請求項１に記載のロック機構付きカードコネクタ。
【請求項３】
前記ロック爪は、前記スライダーの一部を前記ケースの平面部側へＬ状に折り曲げて形成した係合部に弾性的に当接するように、前記ケースの平面部に取り付けられており、前記スライダーが固定位置へ移動したときに前記係合部を係止する構成である請求項１に記載のロック機構付きカードコネクタ。
【請求項４】
前記ロック爪は、前記スライダーを係止する主突起部と、スライダーの表面に平行な面内で主突起部に沿って形成された副突起部とを有する２重突起構造である請求項１に記載のロック機構付きカードコネクタ。
【請求項５】
前記ケースは、コンタクトを装備するボディと、これに被さるカバーとからなる２ピース構造である請求項１に記載のロック機構付きカードコネクタ。
【発明の詳細な説明】
【技術分野】
【０００１】
本発明は、ＩＣカードへの情報の書き込み、或いは読み取りに使用されるカードコネクタに関し、より具体的には、 例えばＥＴＣ用のＩＣカードリーダーやライターに使用されるカードコネクターに関する。
【背景技術】
【０００２】
ＥＴＣ用のＩＣカードリーダーやライターに使用されるようなカードコネクタでは、ＩＣカードが挿入される薄型のケースが使用される。薄型のケース内にＩＣカードを挿入すると、挿入の最終段階でＩＣカードが傾斜ガイドなどに沿って厚み方向へ移動する。より具体的には、ＩＣカードの先端部表面に形成された接点部が、これに対向するようにケースの先奥部に設けられたコンタクトに接近する方向へ、ＩＣカードが厚み方向へ移動する。このＩＣカードの厚み方向の移動により、挿入の最終段階でＩＣカードの接点部がケース側のコンタクトに接触する。
【０００３】
ケースからのＩＣカードの抜去のために、ケース内にはケース内へのＩＣカードの挿入に伴って挿入方向へ移動するスライダーが設けられている。このスライダーはケースからＩＣカードが抜去される方向へスプリングにより付勢されており、ＩＣカードの挿入時には、スライダーはこの付勢力に抗してケース内に挿入され、挿入が完了した位置にロック機構により固定される。ロック機構は固定方向に付勢されており、これを解除方向へ操作することにより、スライダーは元の位置へ自動復帰し、ＩＣカードを抜去方向へ移動させる。
【０００４】
このようなロック機構付きのカードコネクタでは、ＩＣカードが挿入されながらコンタクトに接触するため、両者が摺接し、両者の磨耗が激しいという本質的な問題があった。そして、この問題に対しては、ＩＣカードの挿入が完了した時点、或いは完了直前でＩＣカード又はケース側のコンタクトをカード厚み方向へ移動させて、両者の摺動を極力抑制する対策が特許文献１により提示されている。また、特許文献１のカードコネクターでは、スライダーを挿入位置へ自動固定するスプリング利用のロック機構も装備されており、イジェクト操作により、ロック機構が固定状態が解放状態へ切り換えられ、スライダーが抜去方向へ自動復帰する。
【０００５】
【特許文献１】特開平６−３０９５１３号公報
【０００６】
しかしながら、特許文献１に記載されたカードコネクタでは、ＩＣカードの挿入完了時近傍でＩＣカードをコンタクト側へ移動させるために、カードの移動面に沿って形成されたカムが使用される。また、ケース側のコンタクトをカード厚み方向へ移動させるために、カードの移動に伴って従動的に回転するローラが使用される。これらは共にカードに重なって配置されるため、コネクタの厚みが増大する問題がある。また、ロック機構に関しては、スライダーの側方に配置されるために、コネクタの横幅を増大させる原因になると共に、ケースの厚み方向で変位、変形しやすい問題がある。
【発明の開示】
【発明が解決しようとする課題】
【０００７】
本発明はかかる事情に鑑みて創案されたものであり、厚みを容易に低減できるロック機構付きカードコネクタを提供することを第１の目的とする。
【０００８】
本発明の第２の目的は、横幅を容易に低減できるロック機構付きカードコネクタを提供することにある。
【０００９】
本発明の第３の目的は、ロック機構の厚み方向で変位、変形を容易に防止できるロック機構付きカードコネクタを提供することにある。
【課題を解決するための手段】
【００１０】
上記目的を達成するために、本発明に係るロック機構付きカードコネクタは、薄型のケース内に厚み方向へ移動可能に支持され、ＩＣカードが挿入されてこれを保持するホルダーと、ホルダーと共に前記ケース内に設けられ、ホルダーへのカードの挿入に伴って挿入方向へ移動すると共に、挿入方向への移動の最終段階でその移動に伴ってカードの接点部がコンタクトへ接近する厚み方向へホルダーが移動するように両側のカム機構を介してホルダーを支持するスライダーと、スライダーをカードが抜去される方向へ付勢する第１スプリングと、スライダーに対向するケースの平面部とスライダーとの間に前記平面部に沿って回動可能に設けられ、カードが完全に挿入された状態でスライダーを係止する回動式のロック爪と、ロック爪を固定方向に付勢する第２スプリングと、第２スプリングによる付勢力に抗してロック爪を固定位置から解放位置へ操作するイジェクト部材とを備えている。
【００１１】
本発明に係るロック機構付きカードコネクタにおいては、スライダーでホルダーが保持され、そのホルダーを厚み方向に移動させるカム機構がスライダー及びホルダーの両側部に設けられる。このため、カム機構をスライダーに重ねて設ける場合と比べてコネクタ厚を低減できる。
【００１２】
また、ロック機構として、スライダーに対向するケースの平面部とスライダーとの間に、回動式のロック爪が前記平面部に沿って設けられる。このため、ロック機構をスライダーの側方に配置する場合と比べて、コネクタの横幅を低減できる。また、スライダーとケースとの間でロック爪が支持されることにより、厚み方向での爪の変位、変形が効果的に防止される。
【００１３】
カム機構としては、スライダーの両側部に傾斜カム溝を形成し、両側の傾斜カム溝にスライド自在に挿入される突起をホルダーの両側部に設ける構成が好ましい。この構成によると、カム機構がホルダー支持機構を兼ね、コネクタが一層小型化される。
【００１４】
ロック爪に関しては、スライダーの一部をケースの平面部側へＬ状に折り曲げて形成した係合部に弾性的に当接するように、前記ケースの平面部に取り付けられており、前記スライダーが固定位置へ移動したときに前記係合部を係止する構成が好ましい。この構成により、ロック爪がスライダーとケースの平面部との間でより確実に支持され、その変位、変形がより効果的に防止される。
【００１５】
ロック爪は又、スライダーを係止する主突起部と、スライダーの表面に平行な面内で主突起部に沿って形成された副突起部とを有する２重突起構造が好ましい。この構造によると、ロック爪がより確実に支持され、その変位、変形がより効果的に防止される。
【００１６】
ケースに関しては、コンタクトを装備するボディと、これに被さるカバーとからなる２ピース構造が好ましい。この構造によると、カバーの薄型化が容易になる。
【発明の効果】
【００１７】
本発明に係るロック機構付きカードコネクタは、スライダーでホルダーを保持し、そのホルダーを厚み方向に移動させるカム機構をスライダー及びホルダーの両側部に設けることにより、コネクタ厚を低減できる。また、ロック機構としてのロック爪を、スライダーが対向するケースの平面部とスライダーとの間に、その平面部に沿って回動可能に設けることにより、コネクタの横幅を低減でき、合わせロック爪の厚み方向の変位、変形を効果的に防止できる。
【発明を実施するための最良の形態】
【００１８】
以下に本発明の実施形態を図面に基づいて説明する。図１は本発明の一実施形態を示すロック機構付きカードコネクタの斜視図、図２は同ロック機構付きカードコネクタの分解斜視図、図３は同ロック機構付きカードコネクタの平面図、図４は同ロック機構付きカードコネクタの底面図、図５は同ロック機構付きカードコネクタの内部構造をカード未挿入時について示す平面図、図６は図５中のＡ−Ａ線矢示図、図７は同ロック機構付きカードコネクタの内部構造をカード挿入時について示す平面図、図８（ａ）は同ロック機構付きカードコネクタにおけるカード挿入時の動作を示す側面図、図８（ｂ）は図８（ａ）中のＣ部拡大図である。
【００１９】
本実施形態に係るロック機構付きカードコネクタは、図１〜図４に示すように、ＩＣカード１０が挿入される薄型のケース２０、ケース２０内に収容されたホルダー３０、スライダー４０及びロック爪７０、並びにケース２０の側面に沿って設けられたイジェクト部材８０を備えている。ＩＣカード１０は挿入方向前部の下面側に接点部を有している。
【００２０】
ケース２０は、樹脂からなるボディ２０Ａと、ボディ２０Ａに装着されるカバー２０Ｂとを組み合わせた２ピース構造になっている。ボディ２０Ａは、ケース１０の前部の底板部を構成しており、後方からのＩＣカード１０の挿入を阻害しないように、前縁部及び両側の縁部にのみ低い壁を有している。
【００２１】
ボディ２０Ａの底板部には、ＩＣカード１０の前部下面に形成された接点部と接触する複数のコンタクト５０を保持するために、複数のコンタクト５０Ａ，５０Ｂが嵌合する複数のスリット溝２１Ａ，２１Ｂが設けられている。また、ＩＣカード１０の挿入を検知するスイッチ６０Ａ，６０Ｂを保持するために、当該スイッチ６０が嵌合するスリット溝２２が設けられている。更に、ロック爪７０を支持するためのボス部２３が設けられている。
【００２２】
カバー２０Ｂは金属板からなり、ケース２０の天板全体を構成している。ボディ２０Ａとの固定のために、カバー２０Ｂの前縁部には、その前縁部をボディ２０Ｂの側に折り曲げて形成された両側１組の係合部２４ａ，２４ａ及び係止部２４ｂ，２４ｂが設けられている。係合部２４ａ，２４ａは、ボディ２０Ａの前壁に形成された凹部２５ａ，２５ａに嵌合し、係止部２４ｂ，２４ｂは凹部２５ａ，２５ａの両側に位置してボディ２０Ａの前壁に形成された爪部２５ｂ，２５ｂに係合することにより、カバー２０Ｂをボディ２０Ａに固定する。
【００２３】
カバー２０Ｂは又、両側の縁部に当該縁部をボディ２０Ａの側へ折り曲げて形成された側壁を有している。各側壁には、スライダー４０を支持し且つ該スライダー４０をＩＣカード１０の挿入方向に案内するために、その挿入方向に沿ったスリット２６が設けられている。
【００２４】
カバー２０Ｂの裏面側に配置されるホルダー３０は、ケース１０内でＩＣカード１０を受け入れ収容する。このため、ホルダー３０は、ＩＣカード１０を収容し得る大きさに設定されており、両側の縁部を内側へ折り曲げて形成した両側の断面コ字形状の支持部３１，３１によってＩＣカード１０の両側の縁部を支持するようになっている。これにより、ホルダー３０の裏面はほぼ全面的に開放している。
【００２５】
このホルダー３０は、カバー２０Ｂの裏面側に支持される後述のスライダー４０とカバー２０Ｂとの間において、スライダー４０により支持される。この支持のために、両側の支持部３１，３１には、側方へ突出する一対の突起３３，３３が切り起こしにより、カード挿入方向に間隔をあけてそれぞれ設けられている。
【００２６】
ホルダー３０のカード挿入側の端部は開口しており、挿入方向前端部には、両側の縁部から両側へ開いた係合部３２，３２が設けられている。係合部３２，３２は、ボディ２０Ａの前縁部に形成された両側の溝部２５ｃ，２５ｃに係合する。この係合により、ホルダー３０はケース１０に対してカード挿入方向で固定され、ケース１０の厚み方向では移動可能とされる。
【００２７】
スライダー４０は、上側のホルダー３０に下方から嵌合する。このため、スライダー４０は上面が開放した平板で構成されており、その長さは、ホルダー３０に対してスライドできるようにホルダー３０より短く設計されている。スライダー４０の両側の縁部には、当該縁部を立ち上げて形成した一対の側壁部４１，４１が設けられている。また、カード挿入方向の前端部には、挿入されたＩＣカード１０の前端が当接する係止部４２が、その前端部を立ち上げることにより形成されている。
【００２８】
スライダー４０の各側壁部４１には、側方へ突出する突起４３が、長手方向の中間部に位置して設けられている。各側壁部４１には又、スリット状のカム溝４４，４４が長手方向の両端部に位置して形成されている。各カム溝４４は、カード挿入方向後部、すなわち抜去側の端部に下段の水平部を有すると共に、カード挿入方向前部に上段の水平部を有し、両者を傾斜部で繋いだ構成になっている（図８参照）。
【００２９】
また、スライダー４０の両側の側壁部４１，４１に挟まれた平板部には、一方の側壁部４１に沿って直線状の係合部４５が設けられている。係合部４５は、前記平板部の一部を裏面側、すなわちボディ２０Ａの側へＬ字状に折り曲げることにより形成されている（図６参照）。
【００３０】
スライダー４０の両側の突起４３，４３は、カバー２０Ｂの両側の側壁部に設けられた水平なスリット２６，２６にスライド自在に挿入される。これにより、スライダー４０は、カバー２０Ｂに対しカード挿入方向に沿った両方向へスライド自在に支持されると共に、カバー２０Ｂにカード挿入方向で固定されたホルダー３０に対しても、カード挿入方向に沿った両方向へスライド自在になる。
【００３１】
一方、ホルダー３０は、前述したとおり、両側の支持部３１，３１に、側方へ突出する一対の突起３３，３３をそれぞれ有している。一対の突起３３，３３は、スライダー４０の各側壁部４１に設けられたスリット状のカム溝４４，４４に内側から挿入されている。この挿入により、ホルダー３０は厚み方向でスライダー４０に支持されている。
【００３２】
ここで、スライダー４０は、スプリング４６によりカード挿入方向後方、すなわちカード抜去側へ付勢されている。スプリング４６は、カバー２０Ｂの側面に設けられた第１突起２７ａとスライダー４０の側面に設けられた突起４３との間に引っ張り状態で掛け設けられている。これにより、スライダー４０は、カード抜去側の移動限に弾性的に保持される。
【００３３】
カード抜去側の移動限では、ＩＣカード１０は抜去側の端部がホルダー３０のカード挿入口から挿入方向へやや入った位置に保持され、スライダー４０のカード挿入方向前端から、ホルダー３０及びカバー１０の前端部までの間には、十分な離間距離が確保される。また、ホルダー３０の側面に形成さた突起３３，３３は、スライダー４０の側面に形成されたカム溝４４，４４の上段の水平部、すなわちカム溝４４，４４のカード挿入方向前部に形成された上段の水平部に嵌合する。これにより、ホルダー３０はスライダー４０によりケース１０内の上段に支持されることになる。
【００３４】
ロック爪７０は、金属板からなり、ボディ２０Ａの底板部とその上のスライダー４０との間に平行に配置されている。そして前記底板部に突設されたボス部２３により回動自在に支持されている。このロック爪７０は、ボス部２３に嵌合する回動中心部から半径方向へ延出する主突起部７１と、主突起部７１に沿って形成された副突起部７２と、これらにぼぼ直角なイジェクト操作部７３とを有しており、主突起部７１の先端が内側へ移動する方向へスプリング７４により付勢されている。
【００３５】
そして、スライダー４０がカード抜去側の移動限にあるとき、スプリング７４によるロック爪７０の付勢により、主突起部７１の先端に形成された鉤部が、スライダー４０の底板部に形成されたＬ曲げ部状の係合部４５の外側の側面に弾性的に当接する（図６参照）。このとき、副突起部７２は、係合部４５を挟んで主突起部７１の反対側に位置しており、イジェクト操作部７３は、ケース１０の一側面側へ突出している。
【００３６】
スライダー４０がカード抜去側の移動限からカード挿入方向前方の移動限へ向けて前進するとき、ロック爪７０の主突起部７１は、係合部４５の外側の側面に摺接する。そして、スライダー４０がカード挿入方向前方の移動限まで移動したとき、ロック爪７０の主突起部７１は係合部４５の端部に係合し、スライダー４０をカード挿入方向前方の移動限に固定する。このとき、ホルダー３０の側面に形成された突起３３，３３は、スライダー４０の側面に形成されたカム溝４４，４４の下段の水平部に嵌合する。これにより、ホルダー３０はスライダー４０によりケース１０内の下段に支持されることになる。
【００３７】
スライダー４０の移動を阻害しないために、係合部４５が嵌合するスリット２８が、ボディ２０Ａの底板部に設けられている。なおスプリング７４は、ロック爪７０とボディ２０Ａとの間に引っ張り状態で掛け設けられている。
【００３８】
イジェクト部材８０は、ケース２０の側面に沿って設けられた短冊状の金属板からなる。このイジェクト部材８０は、ボディ２０Ａの一側部に形成された鉤状の保持部２９により、長手方向、すなわちカード挿入方向に沿って移動自在に支持されており、スプリング８１によりカード挿入方向後方、すなわちカード抜去側へ付勢されている。スプリング８１は、カバー２０Ｂの側面に設けられた第２突起２７ｂと、イジェクト部材８０の一部を内側へ切り起こして形成した突起８５との間に引っ張り状態で掛け設けられている。
【００３９】
イジェクト部材８０の先端部には、ボディ２０Ａの保持部２９が嵌合する下に凸の凹部８２が形成されている。その先端部には又、ロック爪７０のイジェクト操作部７３が嵌合する上に凸の凹部８３が、凹部８２の先端側に位置して形成されている。一方、イジェクト部材８０の後端部、すなわちカード抜去側の端部には、イジェクト部材８０をカード挿入方向へ押圧操作するために樹脂キャップ８４が装着されている。
【００４０】
ロック爪７０の主突起部７１がスライダー４０の係合部４５に係合し、スライダー４０をカード挿入方向前方の移動限に固定したとき、イジェクト部材８０はロック爪７０の回動に伴ってカード抜去方向へ僅かに移動する。この状態からイジェクト部材８０をスプリング８１による付勢力に抗して反対側、すなわちカード挿入方向前方へ押し込むと、ロック爪７０はスプリング７４による付勢力に抗して反対側へ回動し、スライダー４０の係合部４５から離脱する。その結果、スライダー４０はスプリング４６による付勢力で元の位置、すなわちカード抜去側の移動限に戻る。
【００４１】
次に、本実施形態に係るロック機構付きカードコネクタの動作及び機能について説明する。
【００４２】
ケース２０内のホルダー３０にＩＣカード１０を挿入しないときは、図３〜図５に示すように、スライダー４０は、スプリング４６による付勢により、カード挿入方向後方の移動限、すなわちカード抜去側の移動限に弾性的に保持される。このとき、ホルダー３０の側面に形成さた突起３３，３３は、図８に示すように、スライダー４０の側面に形成されたカム溝４４，４４の上段の水平部、カム溝４４，４４のカード挿入方向前部に形成された上段の水平部に嵌合する。従って、ホルダー３０はケース１０内の上段、すなわちボディ２０Ａに取り付けられたコンタクト５０Ａ，５０Ｂから離れた位置に支持される。
【００４３】
また、ロック爪７０は、図６に示すように、ボディ２０Ａの底板部とその上のスライダー４０との間に平行に配置されており、スプリング７４によるロック爪７０の付勢により、主突起部７１の先端に形成された鉤部が、係合部４５の外側の側面に外側から弾性的に当接する状態にある。
【００４４】
ケース２０内のホルダー３０にＩＣカード１０を挿入口から挿入する。そうすると、ＩＣカード１０の大部分が挿入された段階で、ＩＣカード１０の挿入方向先端がスライダー４０の先端部に形成された係止部４２に当接する（図３参照）。ＩＣカード１０の挿入方向先端がスライダー４０の係止部４２に当接したあとも、なおＩＣカード１０の押し込みを続けると、スライダー４０がスプリング４６による付勢力に抗してカード挿入方向へ移動する。
【００４５】
すなわち、ＩＣカード１０の挿入の最終段階で、スライダー４０がスプリング４６による付勢力に抗してカード挿入方向へ移動し始める。このとき、ロック爪７０の主突起部７１は、スライダー４０の係合部４５の外側面に摺接する。また、スライダー４０の移動に伴って、ホルダー３０の突起３３，３３がスライダー４０のカム溝４４，４４を逆方向、すなわちカード挿入方向前方から後方へ相対移動する。ここで、カム溝４４，４４はカード挿入方向前方から後方へ下降傾斜している。このため、スライダー４０の移動に伴ってホルダー３０は下降する。すなわち、ホルダー３０内のＩＣカード１０は、ボディ２０Ａの側（コンタクト側）へ移動する。
【００４６】
そして、最終的には、スライダー４０がカード挿入方向前方の移動限へ到達するまで、ＩＣカード１０がホルダー３０内に押し込まれる。これにより、ロック爪７０の主突起部７１が係合部４５の端部に係合し、スライダー４０がカード挿入方向前方の移動限に固定される。同時に、ホルダー３０の突起３３，３３がスライダー４０のカム溝４４，４４の下段の水平部に嵌合し、ホルダー３０がケース１０内の下段位置に支持される。これにより、ホルダー３０内のＩＣカード１０の挿入方向前部裏面に形成された接点部が、ボディ１０Ａに保持されたコンタクト５０Ａ，５０Ｂに接触する。
【００４７】
すなわち、ケース２０へのＩＣカード１０の挿入の最終段階で、ＩＣカード１０がコンタクト側へ移動し、その接点部がケース２０Ａ内のコンタクト５０Ａ，５０Ｂに接触する。両者の接触はスイッチ６０Ａ，６０Ｂにより検知される。ＩＣカード１０の接点部にコンタクト５０Ａ，５０Ｂを接触させるために、ホルダー３０の裏面はほぼ全面開放し、その裏面側のスライダー４０は、コンタクト５０Ａ，５０Ｂに対応する部分に、切欠きにより形成された開口部４７を有している。
【００４８】
この状態で、イジェクト部材８０をカード挿入方向へ押圧操作する。すなわち、スプリング８１，７４による付勢力に抗して、イジェクト部材８０をカード挿入方向へ押圧操作する。そうすると、ロック爪７０の主突起部７１が係合部４５の端部から離脱する方向へロック爪７０が回動する。これにより、スライダー４０はスプリング４６により元の位置、すなわちカード抜去側の移動限へ自動復帰する。
【００４９】
その結果、ＩＣカード１０の一部がホルダー３０から露出し、ＩＣカード１０をホルダー３０から容易に抜去することが可能となる。
【００５０】
このように、本実施形態に係るロック機構付きカードコネクタでは、ケース２０へのカード挿入の最終段階で、ＩＣカード１０の接点部がケース２０Ａ内のコンタクト５０Ａ，５０Ｂに接触する。このため、両者の摺接が可及的に抑制され、両者の磨耗が軽減される。
【００５１】
しかも、ＩＣカード１０の挿入の最終段階でＩＣカード１０を厚み方向へ移動させる手段として、ホルダー３０の両側部に設けた突起３３，３３と、スライダー４０の両側部に設けたカム溝４４，４４との組み合わせを用いている。すなわち、その手段をケース１２０の両側部に設けている。このため、ケース２０の厚みを軽減できる。
【００５２】
また、スライダー４０を挿入方向の移動限に固定する手段として、スライダー４０とその下のボディ２０Ａとの間に配置した回動式で板状のロック爪７０を用いている。つまり、その手段はスライダー４０の下面側にこれに沿って配置されている。このため、ロック機構によるケース２０の横幅増大が回避される。また、ロック爪７０が板状であるため、ケース２０の厚みを増大させる要因にならない。
【００５３】
更に、ロック爪７０はスライダー４０とその下のボディ２０Ａとの間にははさまれているために、厚み方向で変位、変形しにくく、その上、スライダー４０を係止する主突起部７１と、スライダー４０の表面に平行な面内で主突起部７１に沿って形成された副突起部７２とを組み合わせた２重突起構造が採用されているので、ロック爪７０の変位、変形がより一層抑制されることになる。
【図面の簡単な説明】
【００５４】
【図１】本発明の一実施形態を示すロック機構付きカードコネクタの斜視図である。
【図２】同ロック機構付きカードコネクタの分解斜視図である。
【図３】同ロック機構付きカードコネクタの平面図である。
【図４】同ロック機構付きカードコネクタの底面図である。
【図５】同ロック機構付きカードコネクタの内部構造をカード未挿入時について示す平面図である。
【図６】図５中のＡ−Ａ線矢示図である。
【図７】同ロック機構付きカードコネクタの内部構造をカード挿入時について示す平面図である。
【図８】（ａ）は同ロック機構付きカードコネクタにおけるカード挿入時の動作を示す側面図、（ｂ）は（ａ）図中のＣ部拡大図である。
【符号の説明】
【００５５】
１０  ＩＣカード
２０  ケース
２０Ａ  ボディ
２０Ｂ  カバー
２６  スリット
３０  ホルダー
３３  突起
４０  スライダー
４３  突起
４４  ガイド溝
４５  係合部
４６  スプリング（第１スプリング）
５０Ａ，５０Ｂ  コンタクト
６０Ａ，６０Ｂ  スイッチ
７０  ロック爪
７１  主突起部
７２  副突起部
７４  スプリング（第２スプリング）
８０  イジェクト部材
８１  スプリング
【図１】
2006012452.tif 000003
【図２】
2006012452.tif 000004
【図３】
2006012452.tif 000005
【図４】
2006012452.tif 000006
【図５】
2006012452.tif 000007
【図６】
2006012452.tif 000008
【図７】
2006012452.tif 000009
【図８】
2006012452.tif 000010